(57)【要約】      （修正有）【課題】集合住宅インターホンシステムの受信感度を向上させる。【解決手段】集合住宅インターホンシステムにおける分岐器４ａ、４ｂは、上流側の住戸ラインＬ２を引込む上流側分岐器Ｉ／Ｆ４０と、下流側の住戸ラインＬ２を引込む下流側分岐器Ｉ／Ｆ４１と、上流側分岐器Ｉ／Ｆ４０からの下り伝送信号を自住戸側に送出すると共に自住戸からの上り伝送信号を上流側分岐器Ｉ／Ｆ４０から送出する機能及び上流側分岐器Ｉ／Ｆ４０からの下り伝送信号を下流側に、下流側分岐器Ｉ／Ｆ４１からの上り伝送信号を上流側に中継する機能を有する信号分岐送受信部４２と、信号分岐送受信部４２の出力信号から下り伝送信号の周波数帯域のみを通過させる第１の下り伝送用フィルタ４４と、自住戸からの上り伝送信号の周波数帯域のみを通過させる上り伝送用フィルタ４８と、上り伝送信号を増幅して信号分岐送受信部４２に送出する上り伝送用アンプ４７とを備える。【選択図】図２
2014195221.tif 000002
【特許請求の範囲】
【請求項１】
集合住宅の集合玄関に設置される集合玄関機と、前記集合住宅の複数の住戸の住戸玄関に設置される玄関子機と、前記集合玄関機からの呼出しに応答して音声信号を送受信することで通話を成立させるとともに前記集合玄関機にて生成される映像信号を出画するために当該住戸の住戸内に設置される居室親機と、集合玄関ラインを経由して接続される前記集合玄関機、住戸ラインを経由して接続される前記居室親機をそれぞれ制御する制御機と、前記住戸ラインを分岐させて前記居室親機に接続される親機ラインに接続する分岐器とを有する集合住宅インターホンシステムであって、
前記分岐器は、
前記制御機に接続される上流側の住戸ラインを引込む上流側分岐器Ｉ／Ｆと、
他住戸側に接続される下流側の住戸ラインを引込む下流側分岐器Ｉ／Ｆと、
前記上流側分岐器Ｉ／Ｆの受信信号であって前記上流側の住戸ラインを経由して前記制御機から伝送されてくる前記呼出しのための呼出信号、前記音声信号及び前記映像信号等の下り伝送信号を自住戸側に送出する又は前記下流側分岐器Ｉ／Ｆから前記下流側の住戸ラインに送出するとともに前記親機ラインを経由して自住戸の前記居室親機から伝送されてくる呼出応答のための応答信号、前記音声信号等の上り伝送信号を前記上流側分岐器Ｉ／Ｆから前記上流側の住戸ラインに送出する機能及び前記上流側分岐器Ｉ／Ｆで受信された前記下り伝送信号を受信して他住戸側に送出するとともに前記下流側分岐器Ｉ／Ｆの受信信号であって前記下流側の住戸ラインを経由して他住戸側から伝送されてくる前記上り伝送信号を受信して前記上流側分岐器Ｉ／Ｆから前記上流側の住戸ラインを経由して前記制御機に送出する機能を有する信号分岐送受信部と、
前記信号分岐送受信部の出力信号から前記下り伝送信号が有する周波数帯域のみを通過させる下り伝送用フィルタと、
前記自住戸の居室親機からの前記上り伝送信号が有する周波数帯域のみを通過させる上り伝送用フィルタと、
前記上り伝送用フィルタから送出される前記上り伝送信号を増幅して前記信号分岐送受信部に送出する上り伝送用アンプと、
を備えることを特徴とする集合住宅インターホンシステム。
【請求項２】
前記信号分岐送受信部は、一次側に接続される前記上流側分岐器Ｉ／Ｆ及び前記下流側分岐器Ｉ／Ｆと二次側に接続される前記下り伝送用フィルタ及び前記上り伝送用アンプとの間を結合するライントランスで構成されることを特徴とする請求項１記載の集合住宅インターホンシステム。
【発明の詳細な説明】
【技術分野】
【０００１】
本発明は、マンション等の集合住宅に設置される集合住宅インターホンシステムに係り、特に、集合住宅用インターホンシステムの受信感度を向上させ、ノイズによる誤動作等を防止することができる集合住宅インターホンシステムに関する。
【背景技術】
【０００２】
従来から、この種の集合住宅インターホンシステムとして、図３に示すようなものが知られている（例えば、特許文献１乃至３等）。
【０００３】
同図において、この集合住宅インターホンシステムは、集合住宅の集合玄関に設置される集合玄関機５０１と、集合住宅の複数の住戸の住戸玄関に設置される玄関子機５０２ａ、５０２ｂ、・・・と、集合玄関機５０１からの呼出しに応答して音声信号を送受信することで通話を成立させるとともに集合玄関機５０１にて生成される映像信号を出画するために当該住戸の住戸内に設置される居室親機５０３ａ、５０３ｂ、・・・と、集合玄関ラインＬ５０１を経由して接続される集合玄関機５０１、住戸ラインＬ５０２を経由して接続される居室親機５０３ａ、５０３ｂ、・・・をそれぞれ制御する制御機５０５と、住戸ラインＬ５０２を分岐させて居室親機５０３ａ、５０３ｂ、・・・に接続される親機ラインＬ５０３ａ、Ｌ５０３ｂ、・・・に接続する分岐器５０４ａ、５０４ｂ、・・・とを有している。
【０００４】
また、居室親機５０３ａ、５０３ｂ、・・・にはそれぞれ、３線にて構成される子機ラインＬ５０４ａ、Ｌ５０４b、・・・を経由して玄関子機５０２ａ、５０２ｂ、・・・が接続されている。
【０００５】
次に、図４の分岐器５０４ａ、５０４ｂ、・・・のブロック図に基づいて、集合住宅インターホンシステムの動作について説明する。
【０００６】
同図において、制御機５０５からの下り信号は、上流側分岐器Ｉ／Ｆ（インタフェース）４０１から入力され、第１のライン（上流側分岐器Ｉ／Ｆ４０１と下り伝送用アンプ４０５間のライン）Ｌ４１を通り、下り伝送用アンプ４０５にて増幅される。ここで、上り伝送用アンプ４０６で増幅された上り信号及び第１のラインＬ４１上のノイズも下り伝送用アンプ４０５にて増幅され、下り信号の通過域である下り伝送用フィルタ４０７にて分離され、第２のライン（下り伝送用フィルタ４０７と後述する分配トランス４１０間のライン）Ｌ４２には下り信号及び下り伝送用フィルタ４０７にて除去されなかった微弱な上り信号及びノイズ分が伝送され、分配トランス４１０、不平衡ー平衡変換トランス４１１の順に親機側分岐器Ｉ／Ｆ４１２に出力される。
【０００７】
ここで、分配トランス４１０は、第２のラインＬ４２と第３のライン（不平衡ー平衡変換トランス４１１と親機側分岐器Ｉ／Ｆ４１２間のライン）Ｌ４３の絶縁を行い、不平衡ー平衡変換トランス４１１は、住戸ラインＬ５０２（幹線）に合わせた平衡伝送への変換を行っている。
【０００８】
一方、居室親機３ａ、３ｂ、・・・からの上り信号は、親機側分岐器Ｉ／Ｆ４１２より、不平衡ー平衡変換トランス４１１にて不平衡信号に変換されて分配トランス４１０に入力され、下り伝送用フィルタ４０７及び上り伝送用フィルタ４０９に分配される。
【０００９】
ここで、下り伝送用フィルタ４０７側は、下り信号の出力側であるため、下り伝送用アンプ４０５側には伝送されず、上り伝送用フィルタ４０９側へ上り信号が伝送され、上り伝送用アンプ４０６にて規定のレベルに増幅され、信号分岐送受信部４０３を通り、上流側分岐器Ｉ／Ｆ４０１から上り信号が出力される。
【００１０】
図中、符号４１３は、分岐器５０４ａ、５０４ｂ、・・・の構成各部に電源を供給する電源部を示している。
【先行技術文献】
【特許文献】
【００１１】
【特許文献１】特開平９−２３３２０２号公報
【特許文献２】特開平９−２６１６２４号公報
【特許文献３】特開２０００-１７４９１３号公報
【発明の概要】
【発明が解決しようとする課題】
【００１２】
しかしながら、このような構成の集合住宅インターホンシステムにおいては、住戸ラインＬ５０２（幹線）が２線（１ペア）で構成され、かつ後述するように、各分岐器５０４ａ、５０４ｂ、・・・の入出力がハイインピーダンスで設計されているため、制御機５０５からの下り信号や、居室親機５０３ａ、５０３ｂ、・・・からの上り信号を切り分ける為に、図４に示す下り伝送用アンプ４０５の上流側（下り伝送用アンプ４０５と上流側分岐器Ｉ／Ｆ４０１との間）にフィルタを配置しようとすると、次のような難点があった。
【００１３】
第１に、７５Ωのような低いインピーダンスの住戸ラインＬ５０２（幹線）に接続される分岐器５ａ、５ｂ、・・・の入出力インピーダンスは、当該住戸ラインＬ５０２（幹線）に複数台の分岐器５ａ、５ｂ、・・・が接続されることを想定してハイインピーダンスに設定されており、このような状態で、制御機５０５からの下り信号や、居室親機５０３ａ、５０３ｂ、・・・からの上り信号を切り分ける為に、下り伝送用アンプ４０５の上流側にフィルタを配置しようとすると、分岐器５０４ａ、５０４ｂ、・・・の入出力がハイインピーダンスで設計されている為、ハイインピーダンスでフィルタを構成しなければならず、ひいては部品サイズが大きくなる等、定数設定が困難となる。
【００１４】
第２に、住戸ラインＬ５０２（幹線）側のインピーダンスも住戸ラインＬ５０２（幹線）の構成に依存し、不定であることもフィルタの配置が困難になる要因となる。
【００１５】
以上より、従来の集合住宅インターホンシステムにおいては、住戸ラインＬ５０２（幹線）から伝送される下り信号と上り伝送用アンプ４０６を通る上り信号、及びその他のノイズ分が第１のラインＬ４１上で合成され、下り伝送用アンプ４０５で一度増幅され、その後に下り伝送用フィルタ４０７を通る為、Ｓ／Ｎ比が悪くなり、受信感度やノイズによる誤動作の原因となる。
【００１６】
本発明は、このような従来の難点を解消するため、分岐トランス（信号分岐送受信部）の一次側から住戸ライン（幹線）からの下り信号を受信し、当該信号分岐送受信部（分岐トランス）の低いインピーダンスを利用することで、現実的な部品選定を可能とし、ひいては低インピーダンスのフィルタを構成でき、住戸ライン（幹線）と分岐器の絶縁もとることが可能な集合住宅インターホンシステムを提供することを目的としている。
【課題を解決するための手段】
【００１７】
前述の目的を達成するため、本発明の第１の態様である集合住宅インターホンシステムは、集合住宅の集合玄関に設置される集合玄関機と、集合住宅の複数の住戸の住戸玄関に設置される玄関子機と、集合玄関機からの呼出しに応答して音声信号を送受信することで通話を成立させるとともに集合玄関機にて生成される映像信号を出画するために当該住戸の住戸内に設置される居室親機と、集合玄関ラインを経由して接続される集合玄関機、住戸ラインを経由して接続される居室親機をそれぞれ制御する制御機と、住戸ラインを分岐させて居室親機に接続される親機ラインに接続する分岐器とを有する集合住宅インターホンシステムであって、分岐器は、制御機に接続される上流側の住戸ラインを引込む上流側分岐器Ｉ／Ｆと、他住戸側に接続される下流側の住戸ラインを引込む下流側分岐器Ｉ／Ｆと、上流側分岐器Ｉ／Ｆの受信信号であって上流側の住戸ラインを経由して制御機から伝送されてくる呼出しのための呼出信号、音声信号及び映像信号等の下り伝送信号を自住戸側に送出する又は下流側分岐器Ｉ／Ｆから下流側の住戸ラインに送出するとともに親機ラインを経由して自住戸の居室親機から伝送されてくる呼出応答のための応答信号、音声信号等の上り伝送信号を上流側分岐器Ｉ／Ｆから上流側の住戸ラインに送出する機能及び上流側分岐器Ｉ／Ｆで受信された下り伝送信号を受信して他住戸側に送出するとともに下流側分岐器Ｉ／Ｆの受信信号であって下流側の住戸ラインを経由して他住戸側から伝送されてくる上り伝送信号を受信して上流側分岐器Ｉ／Ｆから上流側の住戸ラインを経由して制御機に送出する機能を有する信号分岐送受信部と、信号分岐送受信部の出力信号から下り伝送信号が有する周波数帯域のみを通過させる下り伝送用フィルタと、自住戸の居室親機からの上り伝送信号が有する周波数帯域のみを通過させる上り伝送用フィルタと、上り伝送用フィルタから送出される上り伝送信号を増幅して信号分岐送受信部に送出する上り伝送用アンプとを備えるものである。
【００１８】
本発明の第２の態様である集合住宅インターホンシステムは、第１の態様である集合住宅インターホンシステムにおいて、信号分岐送受信部は、一次側に接続される上流側分岐器Ｉ／Ｆ及び下流側分岐器Ｉ／Ｆと二次側に接続される下り伝送用フィルタ及び上り伝送用アンプとの間を結合するライントランスで構成されるものである。
【発明の効果】
【００１９】
本発明による集合住宅用インターホンシステムによれば、制御機と居室親機が２線(１ペア)で双方向伝送を行う過程で、分岐器内における幹線（住戸ライン）からの信号を分岐トランス（信号分岐送受信部）の一次側から受信することにより、伝送用アンプの前段（上流側）に容易にフィルタを配置することができる。従って、本発明の集合住宅用インターホンシステムによれば、分岐器の回路内での上り信号と下り信号の回り込み(発振)を防止することができ、ひいては幹線（住戸ライン）から居室親機へ向かう下り信号のＳ／Ｎ比の高い伝送を行うことができ、また、幹線（住戸ライン）側と分岐器の絶縁がとれ、すなわち分岐器内での下り側回路と上り側回路の絶縁性能が向上する為、当該インターホンシステムの受信感度を向上させることができ、ノイズによる誤動作等を防止することができる。
【図面の簡単な説明】
【００２０】
【図１】本発明の一実施例における集合住宅インターホンシステムのシステム説明図。
【図２】本発明の集合住宅インターホンシステムにおける分岐器の具体的な構成を示すブロック図。
【図３】従来の集合住宅インターホンシステムのシステム説明図。
【図４】従来の集合住宅インターホンシステムにおける分岐器の具体的な構成を示すブロック図。
【発明を実施するための形態】
【００２１】
以下、本発明の集合住宅インターホンシステムを適用した最良の実施の形態例について、図面を参照して説明する。
【００２２】
図１は、本発明の一実施例における集合住宅インターホンシステムの全体構成を示すシステム説明図であって、マンション等の集合住宅に設置されるものである。
【００２３】
同図において、本発明の集合住宅インターホンシステムは、集合住宅の集合玄関に設置される集合玄関機１と、集合住宅の複数の住戸、ここでは、Ａ号室、Ｂ号室、・・・のような複数の住戸の住戸外、例えば、住戸玄関にそれぞれ設置され、後述する居室親機３ａ、３ｂ、・・・を呼出して音声信号を送受信することで通話を成立させるとともに映像信号を生成する玄関子機２ａ、２ｂ、・・・と、前述の各住戸の住戸内にそれぞれ設置され集合玄関機１又は自住戸の玄関子機２ａ、２ｂ、・・・からの呼出しに応答して音声信号を送受信することで通話を成立させるとともに集合玄関機１及び（自住戸の）玄関子機２ａ、２ｂ、・・・のうち少なくとも集合玄関機１にて生成される映像信号を出画する居室親機３ａ、３ｂ、・・・と、集合玄関ラインＬ1を経由して接続される集合玄関機１、住戸ラインＬ２から後述する分岐器４ａ、４ｂ、・・・を経由して接続される居室親機３ａ、３ｂ、・・・をそれぞれ制御するための制御機５と、住戸ラインＬ２を分岐させて居室親機３ａ、３ｂ、・・・に接続される親機ラインＬ３ａ、Ｌ３ｂ、・・・に接続する分岐器４ａ、４ｂ、・・・とを有している。また、居室親機３ａ、３ｂ、・・・にはそれぞれ、子機ラインＬ４a、Ｌ４b、・・・を経由して玄関子機２ａ、２ｂ、・・・が接続されている。
【００２４】
集合玄関機１は、（玄関機）操作部１０、（玄関機）映像撮像部１１及び（玄関機）通話部１２を備えている。
【００２５】
ここで、操作部１０は、集合玄関に居る来訪者が特定の住戸内に在室中の居住者を呼出すための操作（呼出操作）を行うものであり、例えば、テンキーボタン１０ａや呼出ボタン１０ｂにて構成されている。また、映像撮像部１１は、操作部１０（１０ａ、１０ｂ）にて所定の呼出操作を行った来訪者の映像（集合玄関の周囲環境下の映像を含む。）を撮像して映像信号を生成するためのものであり、例えば、ＣＣＤ、ＣＭＯＳ等の各種カメラにて構成されている。さらに、通話部１２は、来訪者が呼出先である（特定の）居住者との間で通話を成立させるための音声信号を送受信するものであり、例えば、マイク１２ａ及びスピーカ１２ｂにて構成されている。
【００２６】
玄関子機２ａ、２ｂ、・・・はそれぞれ同様な構成であって、（子機）操作部２０、（子機）映像撮像部２１及び（子機）通話部２２を備えている。
【００２７】
ここで、操作部２０は、住戸玄関に居る来訪者が自住戸内に在室中の居住者を呼出すための操作を行うものであり、例えば、呼出ボタン２０ａにて構成されている。また、映像撮像部２１は、操作部２０（２０ａ）にて所定の呼出操作を行った来訪者の映像（住戸玄関の周囲環境下の映像を含む。）を撮像して映像信号を生成するためのものであり、例えば、ＣＣＤ、ＣＭＯＳ等の各種カメラにて構成されている。さらに、通話部２２は、来訪者が呼出先である居住者との間で通話を成立させるための音声信号を送受信するものであり、マイク２２ａ及びスピーカ２２ｂにて構成されている。
【００２８】
居室親機３ａ、３ｂ、・・・はそれぞれ同様な構成であって、（親機）表示部３０、（親機）通話部３１及び（親機）操作部３２を備えている。
【００２９】
ここで、表示部３０は、集合玄関機１又は（自住戸の）玄関子機２ａ、２ｂ、・・・を使用した来訪者からの呼出しがあることを表示するとともに、集合玄関機１の映像撮像部１１及び（自住戸の）玄関子機２ａ、２ｂ、・・・の映像撮像部２１にてそれぞれ生成される映像信号のうち少なくとも集合玄関機１の映像撮像部１１にて生成される映像信号を出画するためのものであり、例えば、呼出表示・報知機能を有するＬＥＤ３０ａ及び映像出画機能を有するＬＣＤ、有機ＥＬディスプレイ等のモニタ３０ｂにて構成されている。また、通話部３１は、居住者が呼出元である来訪者との間で通話を成立させるための音声信号を送受信するものであり、例えば、マイク３１ａ及びスピーカ３１ｂにて構成され、このスピーカ３１ｂは、前述の呼出報知機能も有している。
【００３０】
さらに、操作部３２は、居住者が来訪者からの呼出しに応答して通話を成立させるための応答操作、成立中の通話を終了させるための終話操作等を行うものであり、例えば、通話応答等の各種の操作ボタン３２ａやこれらの操作機能を有する（モニタ３０ｂの画面上に設けられた）タッチパネル３２ｂにて構成されている。なお、通話部３１としては、ハンドセット（図示せず。）を備えることもできる。
【００３１】
分岐機４ａ、４ｂ、・・・はそれぞれ同様な構成であって、図２のブロック図に示すように、それぞれ、上流側分岐器Ｉ／Ｆ４０、下流側分岐器Ｉ／Ｆ４１、信号分岐送受信部４２、第１、第２の下り伝送用フィルタ４４、４６、下り伝送用アンプ４５、上り伝送用アンプ４７、上り伝送用フィルタ４８、分配トランス４９、不平衡―平衡変換トランス５０、親機側分岐器Ｉ／Ｆ５１及び電源部５２を有している。
【００３２】
図２に示す分岐機４ａ、４ｂ、・・・において、信号分岐送受信部４２は、制御機５に接続される住戸ラインＬ２を引込み、この住戸ラインＬ２を経由して制御機５から例えば、時分割多重方式で伝送されてくる、呼出し（玄関機呼出し）のための呼出（玄関機呼出）信号、集合玄関機１の通話部１２（１２ａ）より送信される音声（玄関機音声）信号及び集合玄関機１の映像撮像部１１にて生成される映像信号等の下り伝送信号を受信し、自住戸側に送出する又は当該住戸ラインを経由して他住戸である下流側の当該分岐器に送出するとともに、親機ラインＬ３ａ、Ｌ３ｂ、・・・を経由して自住戸の居室親機３ａ、３ｂ、・・・から例えば、ＱＰＳＫのデジタル多重方式で伝送されてくる、呼出応答のための応答信号、通話部３１（３１ａ）より送信される音声（親機音声）信号等の上り伝送信号を受信し、住戸ラインＬ２を経由して制御機５に送出するためのものである。
【００３３】
この信号分岐送受信部４２は、一次側に接続される上流側分岐器Ｉ／Ｆ４０及び下流側分岐器Ｉ／Ｆ４１と二次側に接続される第１の下り伝送用フィルタ４４及び上り伝送用アンプ４７との間を結合するライントランス４３で構成されている。
【００３４】
下り伝送用アンプ４５は、信号分岐送受信部４２から出力される下り伝送信号の信号レベルを増幅し、住戸ラインＬ２の線路長及び信号分岐送受信部４２の回路内の経由によるレベル減衰分を補完するためのものである。この下り伝送用アンプ４５は、電源部５２から電源供給される電源により駆動され、制御機５から自分岐器４ａ、４ｂ、・・・までの住戸ラインＬ２の線路長に対応して、当該分岐器の機器毎にその増幅度が異なる固定レベルの出力信号を生成するオートゲインコントロールアンプにて構成される。
【００３５】
上り伝送用アンプ４７は、親機ラインＬ３ａ、Ｌ３ｂ、・・・、親機側分岐器Ｉ／Ｆ５１、不平衡―平衡変換トランス５０及び分配トランス４９を経由して自住戸の居室親機３ａ、３ｂ、・・・から伝送されてくる上り伝送信号の信号レベルを増幅し、親機ラインＬ３ａ、Ｌ３ｂ、・・・の線路長、不平衡―平衡変換トランス５０、分配トランス４９の回路内の経由によるレベル減衰分を補完するためのものである。この上り伝送用アンプ４７は、前述の下り伝送用アンプ４５と同様に、電源部５２から電源供給される電源により駆動され、固定レベルの出力信号を生成するオートゲインコントロールアンプにて構成される。
【００３６】
第１下り伝送用フィルタ４４は、信号分岐送受信部４２及び下り伝送用アンプ４５の間に接続され、また第２の下り伝送用アンプ４６は下り伝送用アンプ４５及び分配トランス４９の間に接続され、それぞれ住戸ラインＬ２を経由して制御機５から伝送されてくる下り伝送信号を抽出して出力する一方、住戸ラインＬ２を経由して他住戸である下流側の当該分岐器から伝送されてくる上り伝送信号の出力を遮断するためのものであり、例えば、高周波通過用のバンドバスフィルタにて構成されている。なお、第１の下り伝送用フィルタ４４は、上り伝送用フィルタ４８からのフィードバック出力を遮断する機能を有している。
【００３７】
上り伝送用フィルタ４８は、分配トランス４９及び上り伝送用アンプ４７間に接続され、親機ラインＬ３ａ、Ｌ３ｂ、・・・、親機側分岐器Ｉ／Ｆ５１、不平衡―平衡変換トランス５０及び分配トランス４９を経由して自住戸の居室親機３ａ、３ｂ、・・・から伝送されてくる上り伝送信号を抽出して出力する一方、親機ラインＬ３ａ、Ｌ３ｂ、・・・、親機側分岐器Ｉ／Ｆ５１を経由して自住戸の居室親機３ａ、３ｂ、・・・の電源部（不図示）ら給電される電源の出力を遮断するためのものであり、例えば、低周波通過用のバンドバスフィルタにて構成されている。なお、上り伝送用フィルタ４８は、第２の下り伝送用フィルタ４６からのフィードバック出力を遮断する機能を有している。
【００３８】
次に、図１および図２に基づいて、このように構成された本発明の実施例における集合住宅インターホンシステムの動作について説明する。
【００３９】
なお、本発明の実施例において、住戸玄関に居る来訪者が玄関子機２ａ、２ｂ、・・・の操作部２０（２０ａ）を使用して所定の呼出操作を行い、この玄関呼出しを検出した居室親機３ａ、３ｂ、・・・の親機信号処理部（不図示）の制御による所定の呼出報知動作、及び居住者が操作部３２（３２ａ、３２ｂ）を使用して所定の応答操作を行い来訪者との間で通話を成立させる動作はそれぞれ、インターホン通信分野において周知な技術であるため、説明は省略するものとする。
【００４０】
先ず、集合住宅の集合玄関又は自住戸の住戸玄関に居る来訪者からの呼出しがなく通話を成立していない待受状態において、居室親機３ａ、３ｂ、・・・の親機電源部（不図示）は、親機用の待受電源を生成して当該居室親機の構成各部に電源供給している。また、分岐器４ａ、４ｂ、・・・の電源部５２は、次のようにして親機電源部（不図示）からの電源供給をもとに分岐器用の待受電源が生成される。すなわち、親機電源部（不図示）から親機ラインＬ３ａ、Ｌ３ｂ、・・・及び親機側分岐器Ｉ／Ｆ５１に重畳させて、図示しないライン（不平衡―平衡変換トランス５０と親機側分岐器Ｉ／Ｆ５１間に接続されたライン）及び極性の指定を無くす為のダイオードブリッジ（不図示）を介して分岐器４ａ、４ｂ、・・・の電源部５２に給電されることで、当該電源部５２から当該分岐器４ａ、４ｂ、・・・の構成各部に待受電源が電源供給されることになる。
【００４１】
このような待受状態において、集合住宅の集合玄関に居る来訪者が、複数の住戸のうち、ここでは、Ｂ号室内に在室中の居住者を呼出すにあたり、図１に示す集合玄関機１の操作部１０（１０ａ、１０ｂ）を使用して所定の呼出操作を行うと、下り伝送信号に係る所定の周波数帯域であって、図示しない先頭フレームの「ヘッダ」にＢ号室を指定するための住戸アドレスを構成する親機番号、呼出元である集合玄関機１を示す玄関機番号、及び呼出しがある旨の呼出制御データを含む呼出信号、複数のスロットのうち所定のスロットに映像撮像部１１にて生成された映像信号をそれぞれ挿入させた下り方向の伝送フレームを有する玄関機呼出・映像信号が生成される。この玄関機呼出・映像信号は、例えば、時分割多重方式の変調信号であり、集合玄関機１から集合玄関ラインＬ1、制御機５、住戸ラインＬ２、図２に示す分岐器４ａ、４ｂ、・・・の上流側分岐器Ｉ／Ｆ４０を経由して信号分岐送受信部４２にそれぞれ、マルチキャストで伝送される。
【００４２】
分岐器４ａ、４ｂ、・・・はそれぞれ、信号分岐送受信部４２のライントランス４３にて受信された玄関機呼出・映像信号を第１の下り伝送用フィルタ４４を経由して抽出する。また、下り伝送用アンプ４５は、第１の下り伝送用フィルタ４４にて抽出された玄関機呼出・映像信号について、制御機５から自分岐器４ａ、４ｂ、・・・への住戸ラインＬ２の線路長及び信号分岐送受信部４２の回路内の経由によるレベル減衰分を補完するように、その信号レベルを増幅し、変動がない固定レベルで出力する。さらに、第２の下り伝送用フィルタ４６は、下り伝送用アンプ４５からの出力信号を抽出し、分配トランス４９、不平衡―平衡変換トランス５０，親機側分岐器Ｉ／Ｆ５１及び親機ラインＬ３ａ、Ｌ３ｂ、・・・を経由して居室親機３ａ、３ｂ、・・・の住戸ライン伝送信号処理部（不図示）に送出する。
【００４３】
ここで、分岐器４ａ、４ｂ、・・・において、前述のような玄関機呼出・映像信号の信号処理を行うにあたり、上り伝送用フィルタ４８は、信号分岐送受信部４２のライントランス４３にて受信された玄関機呼出・映像信号のフィードバック出力を遮断する機能を有しているため、この信号が上り伝送用アンプ４７に伝送されるような誤伝送を発生させることはなく、信号伝送の信頼度が高められる。
【００４４】
次に、前述のような呼出報知（呼出表示、呼出発報）及び映像信号の出画をもとに、集合玄関に居る来訪者からの呼出しがあり、この来訪者を映像とともに確認することができたＢ号室内に在室中の居住者が、図１に示す居室親機３ｂの操作部３２（３２ａ、３２ｂ）を使用して所定の応答操作を行うと、この操作を検出した親機信号処理部（不図示）は、親機音声処理部（不図示）を制御して居住者が使用する通話部３１のマイク３１ａ及びスピーカ３１ｂと当該親機信号処理部との間の信号伝送路、すなわち、通話路を形成するとともに、上り伝送信号に係る所定の周波数帯域であって、所定の応答制御データを含む応答信号が生成される。この応答信号は例えば、ＱＰＳＫのデジタル変調信号であって、住戸ライン伝送信号処理部（不図示）にてＤ／Ａ変換された後、親機ラインＬ３ｂを経由して分岐器４ｂに伝送される。
【００４５】
分岐器４ｂにおいて、上り伝送用フィルタ４８は、親機ラインＬ３ｂ、親機側分岐器Ｉ／Ｆ５１、不平衡―平衡変換トランス５０及び分配トランス４９を経由して伝送されてきた応答信号を抽出する。また、上り伝送用アンプ４７は、上り伝送用フィルタ４８にて抽出された応答信号について、親機ラインＬ３ｂの線路長及び不平衡―平衡変換トランス５０と分配トランス４９の回路内の経由によるレベル減衰分を補完するようにその信号レベルを増幅し、変動がない固定レベルで出力する。さらに、上り伝送用アンプ４７からの出力信号は、信号分岐送受信部４２のライントランス４３から住戸ラインＬ２、分岐器４ａの信号分岐送受信部４２が有するライントランス４３、住戸ラインＬ２、制御機５、集合玄関ラインＬ1を経由して集合玄関機１に送出する。
【００４６】
ここで、分岐器４ｂにおいて、前述のような応答信号の信号処理を行うにあたり、第２の下り伝送用フィルタ４６は、親機ラインＬ３ｂから伝送されてきた応答信号のフィードバック出力を遮断する機能を有しているため、この信号が下り伝送用アンプ４５に伝送されるような誤伝送を発生させることはなく、信号伝送の信頼度が高められる。
【００４７】
さらに、分岐器４ａにおいて、前述のような分岐器４ｂからの応答信号が信号分岐送受信部４２のライントランス４３にて受信された場合であっても、この応答信号は上り伝送信号であるため、第１の下り伝送用フィルタ４４を経由して下り伝送用アンプ４５に伝送させることはなく、自分岐器４ａの機器内における無用な信号処理動作の発生を防止できる。
【００４８】
次に、図１に示す集合玄関機１は、居室親機３ｂより伝送されてきた応答信号を受信して復調することで、Ｂ号室内に在室中の居住者による応答があったことを検出し、通話部１２のマイク１２ａ及びスピーカ１２ｂの使用による通話機能が能動となるように制御する。
【００４９】
ここで、集合玄関に居る来訪者が、集合玄関機１において通話部１２のマイク１２ａを使用して送話音声を入力すると、下り伝送信号に係る所定の周波数帯域であって、図示しない先頭フレームの「ヘッダ」にＢ号室を指定するための住戸アドレスを構成する親機番号、呼出元である集合玄関機１を示す玄関機番号を含む制御信号、複数のスロットのうち所定のスロットに映像撮像部１１にて生成された映像信号、前述の送話音声である音声信号をそれぞれ挿入させた下り方向の伝送フレームを有する玄関機映像・音声信号が生成される。この玄関機映像・音声信号は、例えば、時分割多重方式の変調信号であり、前述の玄関機呼出・映像信号と同様の伝送路を経由して信号処理がなされた後、居室親機３ａ、３ｂ、・・・の住戸ライン伝送信号処理部（不図示）にて受信される。
【００５０】
居室親機３ａ、３ｂ、・・・において、住戸ライン伝送信号処理部（不図示）はそれぞれ、受信した玄関機映像・音声信号をＡ／Ｄ変換させ、親機信号処理部（不図示）に送出する。また、親機信号処理部（不図示）は、住戸ライン伝送信号処理部（不図示）からの出力信号である玄関機映像・音声信号を、前述の制御信号、映像信号及び音声信号にそれぞれ分波して復調する。また、親機信号処理部（不図示）は、前述のように復調した制御信号、映像信号及び音声信号のうち、当該制御信号の住戸アドレスを構成する親機番号と自居室親機３ａ、３ｂ、・・・に予め割当てられている親機番号とを比較し、当該親機番号が一致した場合にのみ、親機映像処理部（不図示）を経由して信号処理された映像信号を表示部３０のモニタ３０ｂに継続して出画させるとともに、親機音声処理部（不図示）を経由して信号処理された音声信号を通話部３１のスピーカ３１ｂから受話音声として出力させることができる。
【００５１】
ここでは、Ｂ号室の住戸内に設置された居室親機３ｂの親機信号処理部（不図示）のみ当該親機番号が一致し、前述のような映像出画及び音声出力の動作が行われることになる。
【００５２】
一方、Ｂ号室内に在室中の居住者が、居室親機３ｂにおいて通話部３１のマイク３１ａを使用して送話音声を入力すると、親機音声処理部（不図示）、親機信号処理部（不図示）を経由して信号処理された上り伝送信号に係る所定の周波数帯域であって、例えば、ＱＰＳＫのデジタル変調信号である音声信号が生成される。この音声信号は、前述の応答信号と同様の伝送路を経由して信号処理がなされた後、図１に示す集合玄関機１にて受信される。
【００５３】
集合玄関機１は、居室親機３ｂより伝送されてきた音声信号を受信して復調することで、Ｂ号室内に在室中の居住者による受話音声を、通話部１２のスピーカ１２ｂから出力させることができ、集合玄関に居る来訪者にとっては、呼出先であるＢ号室内に在室中の居住者との間で通話が成立する。
【００５４】
前述までの説明から明らかなように、本発明の実施例によれば、制御機５に接続される住戸ラインＬ２を引込む信号分岐送受信部４２を有し、親機ラインＬ３ａ、Ｌ３ｂ、・・・を経由して居室親機３ａ、３ｂ、・・・との間で通信が可能な玄関子機２ａ、２ｂ、・・・に、これら住戸ラインＬ２及び親機ラインＬ３ａ、Ｌ３ｂ、・・・の線路長及び信号分岐送受信部４２の回路内の経由によるレベル減衰分を補完するオードゲインコントロールアンプにて構成される信号増幅機能（下り伝送用アンプ／上り伝送用アンプ）４５、４７を備えることにより、当該線路長の制限をなくすことができ、また、信号増幅機能４５、４７を経由して送受信される各種信号を的確に抽出するフィルタ機能（第１、第２の下り伝送用フィルタ／上り伝送用フィルタ）４４、４６、４８を備えることで、信号伝送の信頼度を高めることができる。
【００５５】
また、本発明の実施例によれば、ライントランス４３を有する信号分岐送受信部４２を適用して住戸ラインＬ２を分岐器４ａ、４ｂ、・・・に引込むことにより、例えば、居室親機３ａの電源部（不図示）から親機ラインＬ３ａを経由して分岐器４ａの電源部５２への電源供給が遮断された場合であっても、集合玄関機１から集合玄関ラインＬ1、制御機５、住戸ラインＬ２、分岐器４ａ、住戸ラインＬ２を経由して分岐器４ｂに下り伝送信号を伝送させるにあたって、その伝送状態を確保することができ、信号伝送の信頼度を低下させることなく安定した通信が可能となる。
【００５６】
ここで、本発明の実施例においては、上流側分岐器Ｉ／Ｆ４０及び下流側分岐器Ｉ／Ｆ４１は、１：５程度の信号分岐送受信部（分岐トランス）４２を備え、かつ、一次側に上り伝送用アンプ４７を備えることにより、上り信号のハイインピーダンス出力(例えば、２ｋΩ前後)を実現することができる。
【００５７】
そして、下り信号は、従来の集合住宅用インターホンシステムとは異なり、信号分岐送受信部４２の一次側より受信し、第１の下り伝送用フィルタ４４にて指定帯域を除去したのち、下り伝送用アンプ４５により増幅することができる。
【００５８】
また、第１の下り伝送用フィルタ４４は、信号分岐送受信部（分岐トランス）４２の一次側が低インピーダンスである為、例えば７５Ωフィルタ等の低インピーダンスで構成が可能であり、従来と比較して部品寸法を大幅に小型化することができる。
【００５９】
従って、本発明の集合住宅用インターホンシステムによれば、従来の集合住宅用インターホンシステムよりも、上り信号や、幹線（住戸ラインＬ２）上のノイズ等を切り分けることが容易となり、Ｓ／Ｎ比の良い信号が下り伝送用アンプ４５により増幅され、また、分岐器４ａ、４ｂ、・・・と幹線（住戸ラインＬ２）との絶縁が信号分岐送受信部（分岐トランス）４２によりとれる為、集合住宅用インターホンの伝送システム上、受信感度が向上する上、ノイズによる誤動作等の防止を図ることができる。
【産業上の利用可能性】
【００６０】
以上のように、本発明の集合住宅インターホンシステムについて、特定の実施の形態をもって説明してきたが、この形態に限定されるものでなく、本発明の効果を奏する限り、これまで知られた如何なる構成の当該システムであっても採用できるということはいうまでもないことである。
【００６１】
例えば、本発明の実施例によれば、図１に示す集合玄関機１の操作部１０（１０ａ、１０ｂ）を使用して所定の呼出操作が行われた場合に生成される玄関機呼出・映像信号として、住戸アドレスを構成する親機番号を付加したが、この態様に限定されるものではなく、親機番号に代えて又は親機番号とともに、呼出先の住戸を示す玄関子機２ａ、２ｂ、・・・の子機番号を付加することにより、この子機番号を子機主機能部２００で照合させ、玄関機呼出・映像信号が有効であるか否かを判別し、有効と判別された場合にのみ、親機ラインＬ３ａ、Ｌ３ｂ、・・・を経由して接続される居室親機３ａ、３ｂ、・・・に玄関機呼出・映像信号を伝送させてもよい。
【００６２】
また、本発明の実施例においては、第１、第２の下り伝送用フィルタ４４、４６を用いて分岐器４ａ、４ｂ、・・・を構成しているが、第２の下り伝送用フィルタ４６を省いて第１の下り伝送用フィルタ４４のみで構成しても同様な効果が得られる。
【００６３】
さらに、本発明の実施例においては、分岐器４ａ、４ｂ、・・・に居室親機３ａ、３ｂ、・・・を接続した場合について説明しているが、当該居室親機３ａ、３ｂ、・・・にさらに増設親機を接続しても同様な効果が得られる。
【符号の説明】
【００６４】
１……集合玄関機
２ａ、２ｂ、・・・玄関子機
３ａ、３ｂ、・・・居室親機
４ａ、４ｂ、・・・分岐器
４０・・・上流側分岐器Ｉ／Ｆ
４１・・・下流側分岐器Ｉ／Ｆ
４２・・・信号分岐送受信部
４３・・・ライントランス
４４、４６・・・第１、第２の下り伝送用フィルタ
４５・・・下り伝送用アンプ
４７・・・上り伝送用アンプ
４８・・・上り伝送用フィルタ
５・・・制御機
Ｌ２・・・住戸ライン
Ｌ３ａ、Ｌ３ｂ、・・・親機ライン
【図１】
2014195221.tif 000003
【図２】
2014195221.tif 000004
【図３】
2014195221.tif 000005
【図４】
2014195221.tif 000006